(57)【要約】【課題】スムーズに記録ディスクホルダを収納部に出し入れすることができ、収納部に出し入れするときに記録ディスクホルダの光学面を傷つけることがない、記録ディスクホルダを提供する。【解決手段】この発明の記録ディスクホルダは、少なくとも２枚のシートが積層され、該シート間に記録ディスクを収納するように形成された記録ディスクホルダ１０であって、積層されたシートが接着部３０で接着されて記録ディスクの収納部７０が形成され、収納部７０に記録ディスクを収納するための収納開口部８０は、積層されたシートのうち一方のシートに形成され、且つシートが接着されてその対向する開口部８０の一方の端と他方の端との間隔が記録ディスクの直径と略等しいかまたは僅かに広く形成された、記録ディスクホルダである。【選択図】      図１
2004314969.tif 000002
【特許請求の範囲】
【請求項１】
少なくとも２枚のシートが積層され、該シート間に記録ディスクを収納するように形成された記録ディスクホルダであって、
前記積層されたシートが接着部で接着されて記録ディスクの収納部が形成され、
前記収納部に記録ディスクを出し入れするための開口部は、積層されたシートのうち一方のシートに形成され、且つ、シートが接着されて対向する一方の接着部とそれと対向する他方の接着部との間隔が記録ディスクの直径と略等しいかまたは僅かに広く形成された、記録ディスクホルダ。
【請求項２】
少なくとも２枚のシートが積層され、該シート間に記録ディスクを収納するように形成された記録ディスクホルダであって、
前記積層されたシートがスポット状に接着された接着部で記録ディスクの収納部が形成され、
前記収納部に記録ディスクを出し入れするための開口部は、積層されたシートのうち一方のシートに収納開口部が形成され、且つ該シートがスポット状に接着された接着部によってその幅が規制され、該接着部によって幅を規制する一方の接着部と該接着部と対向する他方の接着部との間隔が記録ディスクの直径と略等しいかまたは僅かに広く形成された、請求項１に記載の記録ディスクホルダ。
【請求項３】
少なくとも２枚のシートが積層され、該シート間に記録ディスクを収納するように形成された記録ディスクホルダであって、
前記積層されたシートのうち少なくとも１つのシートが伸縮性を有するシートで構成され且つ該シートが接着部で接着されて記録ディスクの収納部が形成され、
前記収納部に記録ディスクを出し入れするための開口部は、積層されたシートのうち一方のシートに形成され、且つシートが接着されて対向する一方の接着部とそれと対向する他方の接着部との間隔が記録ディスクの直径と略等しく形成され、記録ディスクを出し入れするときには、前記伸縮性を有するシートが伸びるように形成された、請求項１または請求項２に記載の記録ディスクホルダ。
【請求項４】
３枚のシートが積層され、該シート間に記録ディスクを収納するように形成された記録ディスクホルダであって、
前記３枚のシートは、正面シートと、背面シートと、該正面シートと背面シートとの間に介装された分割シートとからなり、
前記積層された３枚のシートが接着部でスポット状に接着されて、前記分割シートを挟んで正面側と背面側との両方に記録ディスクの収納部が形成され、
前記収納部に記録ディスクを出し入れするための開口部は、積層されたシートのうち正面シートおよび背面シートに収納開口部が形成され、且つ該シートがスポット状に接着された接着部によってその幅が規制され、該接着部によって幅を規制する一方の接着部と、該接着部と対向する他方の接着部との間隔が記録ディスクの直径と略等しいかまたは僅かに広く形成された、請求項１ないし請求項３のいずれかに記載の記録ディスクホルダ。
【発明の詳細な説明】
【０００１】
【発明の属する技術分野】
この発明は、記録ディスクホルダに関し、特にたとえば、オーディオビジュアル、写真、コンピュータゲーム、コンピュータソフトウェア、特許公報などの情報を記録するための記録面を片面または両面に備えるＣＤ，ＤＶＤ，ＣＤ−ＲＯＭ，ＤＶＤ−ＲＷなどの孔あき記録ディスクを収納するための記録ディスクホルダに関する。
【０００２】
【従来の技術】
従来の記録ディスクホルダは、たとえば特許第２７９４１６３号公報に開示されたコンパクトディスクホルダーのように、記録ディスクホルダを出し入れするためのスリットの上部には、その上部より垂れ下がり記録ディスクホルダを覆うフラップが設けられて、記録ディスクホルダの収納部から記録ディスクホルダが脱落することを防止している。
【０００３】
【特許文献】
特許第２７９４１６３号公報
【０００４】
【発明が解決しようとする課題】
このように記録ディスクホルダの収納部の上に設けられたフラップは、記録ディスクホルダを収納部より出したりあるいは収納部に入れたりするときに邪魔になり、ときにはフラップが記録ディスクホルダの光学表面に接触しその光学表面を傷つける恐れもある。
また、記録ディスクホルダをパイプホルダなどのファイリング用具に綴じ込んで保管していくとき、フラップが捲れ上がった状態でファイルされたりして、フラップが折れ曲がってしまい、折れ曲がったフラップが折れ曲がった分だけその厚みを増して、ファイリングされる量を抑えてしまうこともある。
【０００５】
それゆえに、この発明の主たる目的は、記録ディスクの収納口に垂れ下がり収納部に収納された記録ディスクホルダを覆うフラップをなくし、フラップに邪魔されることなくスムーズに記録ディスクホルダを収納部に出し入れすることができ、収納部に出し入れするときにフラップによって記録ディスクホルダの光学面を傷つけることがない、記録ディスクホルダを提供することである。
【０００６】
【課題を解決するための手段】
この発明の請求項１にかかる記録ディスクホルダは、少なくとも２枚のシートが積層され、該シート間に記録ディスクを収納するように形成された記録ディスクホルダであって、積層されたシートが接着部で接着されて記録ディスクの収納部が形成され、収納部に記録ディスクを収納するための収納開口部は、積層されたシートのうち一方のシートに形成され、且つシートが接着されてその対向する開口部の一方の端と他方の端との間隔が記録ディスクの直径と略等しいかまたは僅かに広く形成された、記録ディスクホルダである。
この発明の請求項２にかかる記録ディスクホルダは、少なくとも２枚のシートが積層され、該シート間に記録ディスクを収納するように形成された記録ディスクホルダであって、積層されたシートがスポット状に接着された接着部で記録ディスクの収納部が形成され、収納部に記録ディスクを収納するための収納開口部は、積層されたシートのうち一方のシートに形成され、且つシートがスポット状に接着された接着部のうち、最も端の接着部によって規制された開口部の一方の端と該接着部と対向する他方の端との間隔が記録ディスクの直径と略等しいかまたは僅かに広く形成された、請求項１に記載の記録ディスクホルダである。
この発明の請求項３にかかる記録ディスクホルダは、少なくとも２枚のシートが積層され、該シート間に記録ディスクを収納するように形成された記録ディスクホルダであって、積層されたシートのうち少なくとも１つのシートが伸縮性を有するシートで構成され且つ該シートが接着部で接着されて記録ディスクの収納部が形成され、収納部に記録ディスクを収納するための収納開口部は、積層されたシートのうち一方のシートに形成され、且つシートが接着されてその対向する開口部の一方の端と他方の端との間隔が記録ディスクの直径と略等しく形成され、記録ディスクを出し入れするときには、伸縮性を有するシートが伸びるように形成された、請求項１または請求項２に記載の記録ディスクホルダである。
この発明の請求項４にかかる記録ディスクホルダは、３枚のシートが積層され、該シート間に記録ディスクを収納するように形成された記録ディスクホルダであって、３枚のシートは、正面シートと、背面シートと、該正面シートと背面シートとの間に介装された分割シートとからなり、積層された３枚のシートが接着部でスポット状に接着されて、分割シートを挟んで正面側と背面側との両方に記録ディスクの収納部が形成され、収納部に記録ディスクを収納するための収納開口部は、積層されたシートのうち正面シートおよび背面シートに形成され、且つシートがスポット状に接着された接着部のうち最も端の接着部によって形成された開口部の一方の端と、該接着部と対向する他方の端との間隔がディスクの直径と略等しいかまたは僅かに広く形成された、請求項１ないし請求項３のいずれかに記載の記録ディスクホルダである。
【０００７】
この発明の上述の目的，その他の目的，特徴および利点は、図面を参照して行う以下の発明の実施の形態の詳細な説明から一層明らかとなろう。
【０００８】
【発明の実施の形態】
図１は、この発明の一実施の形態であるＣＤ（コンパクトディスク）ホルダの正面図解図であり、図２は、図１のＣＤ（コンパクトディスク）ホルダの背面図解図であり、図３は、図１Ｘ−Ｘ線断面図解図である。図４は、図１Ｙ−Ｙ線断面図解図である。
図５は、図１のＣＤ（コンパクトディスク）ホルダの収納部にＣＤ（コンパクトディスク）を収納し始めた状態を示す正面図解図であり、図６は、図１のＣＤ（コンパクトディスク）ホルダを収納部に収納した状態を示す正面図解図である。
【０００９】
この記録ディスクホルダ１０は、合計６枚のコンパクトディスク（以下、ＣＤという。）を収納できるものであり、正面側ホルダ部１２ａと背面側ホルダ部１２ｂとが形成され、正面側ホルダ部１２ａと背面側ホルダ部１２ｂとは、略同一形状に形成される。
この記録ディスクホルダ１０は、その大きさ、形状等を調整することにより、ＣＤ以外の記録ディスク、たとえば、ＤＶＤ，ＣＤ−ＲＯＭ，ＤＶＤ−ＲＷ，ＬＤなどの記録ディスクを収納、保管するために適用することが可能である。
【００１０】
この記録ディスクホルダ１０は、少なくとも２枚のシート、この実施の形態においては、正面シート１４と、背面シート１６と、該正面シート１４と背面シート１６との間に介装された中間の分割シート１８の合計３枚のシートが積層され、該３枚のシート間にＣＤを収納するように形成されている。
正面シート１４および背面シート１６は、可撓性を有する半透明の熱可塑性合成樹脂材料からなる正面略長方形のシートにより形成されている。分割シート１８は、ＣＤの表面、すなわち、光学表面を保護するように比較的柔軟な不織布からなり、前記正面シート１４および背面シート１６と略同一形状に形成されている。
そして、正面シート１４と背面シート１６と分割シート１８とは、上端縁２０、下端縁２２、自由端側端縁２４および綴じ代側端縁２５の近傍において該端縁と平行の直線状の周縁接着部、すなわち上縁接着部３２，下縁接着部３４，自由端側接着部３６，綴じ代側接着部３８においてスポット状に高周波溶着等により熱溶着され、上縁接着部３２，下縁接着部３４，自由端側接着部３６，綴じ代側接着部３８により積層一体化されている。
【００１１】
さらに、正面側ホルダ部１２ａと背面側ホルダ部１２ｂとは、前記積層されたシートが、略左右に区画され、すなわち、正面側において自由端側端縁２４側の第１ホルダ部２６ａと正面側において綴じ代側端縁２５側の第２ホルダ部２８ａとに区画される。そして、第１ホルダ部２６ａにおいては収納部７０に１枚のＣＤを、第２ホルダ部２８ａにおいては上下に分かれた収納部７０に２枚のＣＤを収納するように構成されている。
背面側ホルダ部１２ｂにおいても正面側ホルダ部１２ａと同様に、背面側において自由端側端縁２４側の第１ホルダ部２６ｂと背面側において綴じ代側端縁２５側の第２ホルダ部２８ｂとに区画される。そして、自由端側端縁２４側の第１ホルダ部２６ｂにおいては収納部７０に１枚のＣＤが、綴じ代側端縁２５側の第２ホルダ部２８ｂにおいては上下に分かれた収納部７０に２枚のＣＤが収納されるように構成されている。
すなわち、正面側ホルダ部１２ａの第１ホルダ部２６ａと背面側ホルダ部１２ｂの第１ホルダ部２６ｂとは、表裏において同一に形成され、また、正面側ホルダ部１２ａの第２ホルダ部２８ａと背面側ホルダ部１２ｂの第２ホルダ部２８ｂとも表裏において同一に構成されている。正面側ホルダ部１２ａと背面側ホルダ部１２ｂとは、自由端側端縁２４を対称軸として線対称になっている。
【００１２】
第１ホルダ部２６ａと第２ホルダ部２８ａとは、上下方向において三等分され、第１ホルダ部２６ａにおいては、三等分された領域のうち上から二等分目の領域に第１収納部７０ａが形成されている。すなわち、上から二等分目の最下端に位置する接着部、すなわち支持接着部４０においてスポット状に高周波により熱溶着されて、第１収納部７０ａに収納されたＣＤを支持する支持接着部４０が形成されて、該支持接着部４０の上方に第１収納部７０ａが形成される。
この支持接着部４０は、正面シート１４、背面シート１６および分割シート１８を積層した状態で熱溶着して形成されたものであり、そのために背面側ホルダ部１２ｂの第１ホルダ部２６ｂにも同様に、この支持接着部４０が形成されて、該支持接着部４０によって、第１ホルダ部２６ｂの中間領域の第４収納部７０ｄに収納されたＣＤの下外周縁を支持するように形成され、支持接着部４０の上方に第４収納部７０ｄが形成される。
【００１３】
また、第２ホルダ部２８ａも、上下方向において三等分され、三等分された領域の最も上側と最も下側の領域、すなわち中間の領域を除く上側の領域と下側の領域に、ＣＤの収納部７０（第２収納部７０ｂと第３収納部７０ｃ）が構成される。すなわち、最も上側の領域の最下端に位置する接着部、すなわち支持接着部４２においてスポット状に高周波により熱溶着されて、第２収納部７０ｂに収納されたＣＤを支持する支持接着部４２が形成され、支持接着部４２の上方に第２収納部７０ｂが形成される。
この支持接着部４２は、正面シート１４、背面シート１６および分割シート１８を積層した状態で熱溶着して形成されたものであり、そのために、正面側ホルダ部１２ａの第２ホルダ部２８ａと背面側ホルダ部１２ｂの第２ホルダ部２８ｂとに共通した支持接着部４２を構成し、該支持接着部４２によって第２ホルダ部２８ａの中間領域の第５収納部７０ｅに収納されたＣＤの下外周縁を支持するように形成されて、支持接着部４２の上方に第３収納部７０ｃが形成される。
【００１４】
正面側ホルダ部１２ａの第２ホルダ部２８ａの三等分されたうちの最も下側領域のＣＤの収納部７０を構成する第３収納部７０ｃは、前記下端縁２２の近傍に熱溶着部によって形成された下縁接着部３４によりＣＤの下外周縁が支持されるように構成されている。
同様に、背面側ホルダ部１２ｂの第２ホルダ部２８ｂの三等分されたうちの最も下側領域のＣＤの収納部７０を構成する第６収納部７０ｆも、前記下端縁２２の近傍に熱溶着部によって形成された下縁接着部３４によってＣＤの下外周縁が支持されるように構成されている。
【００１５】
正面側ホルダ部１２ａにおいて、第１ホルダ部２６ａの中間領域には第１収納部７０ａが、第２ホルダ部２８ａの上領域には第２収納部７０ｂが、下領域には第３収納部７０ｃが形成される。
また、背面側ホルダ部１２ｂにおいて、第１ホルダ部２６ｂの中間領域に第４収納部７０ｄが、第２ホルダ部２８ｂの上領域には第５収納部７０ｅが、下領域には第６収納部７０ｆが形成される。
【００１６】
収納部７０を構成する各収納部、すなわち第１収納部７０ａ、第２収納部７０ｂ、第３収納部７０ｃ、第４収納部７０ｄ、第５収納部７０ｅおよび第６収納部７０ｆの上方には、ＣＤを収納部７０に出し入れするための開口部が形成されている。
該開口部は、正面シート１４および背面シート１６が略扇形に切り欠かれて収納開口部８０が形成され、前記収納部７０にＣＤを出し入れすることができるように形成されている。
収納開口部８０は、略Ｖ字形状の直線状襟縁部８２が形成され、襟縁部８２を構成する左右に分かれた襟縁部８２のうち、外側の襟縁部８２ａの内側先端部と内側の襟縁部８２ｂの内側先端部とから連続して半円形の穴部８４が形成されている。
穴部８４は、収納したＣＤの中心部の穴を露出させるために形成されている。
襟縁部８２の最外縁より円弧状上縁部８６が上に向かって膨らむように形成されている。すなわち、左右に分かれた外側の襟縁部８２ａの最外端と内側の襟縁部８２ｂの最外端との間にわたって該円弧状上縁部８６が形成されている。
【００１７】
この収納開口部８０の外側の襟縁部８２ａと内側の襟縁部８２ｂとは、その高さ方向における傾斜角度が異なっている。すなわち、下端縁２２を水準としてその水準に対する傾斜角度が外側の襟縁部８２ａは内側の襟縁部８２ｂと比してより急な角度に形成され、外側の襟縁部８２ａの最外端は内側の襟縁部８２ｂの最外端より相当上方において終わるように形成されている。
収納開口部８０は、正面側ホルダ部１２ａの第１ホルダ部２６ａの第１収納部７０ａと第２ホルダ部２８ａの第２収納部７０ｂおよび第３収納部７０ｃとは、対称に形成されている。
すなわち、第１収納部７０ａの第１収納開口部８０ａは、外側の襟縁部８２ａが自由端側端縁２４側に形成され、第２収納部７０ｂの第２収納開口部８０ｂおよび第３収納部７０ｃの第３収納開口部８０ｃは、前記第１収納開口部８０ａと対称に形成されて外側の襟縁部８２ａが綴じ代側端縁２８側に形成されている。
一方、背面側ホルダ部１２ｂの第１ホルダ部２６ｂの第４収納部７０ｄと第２ホルダ部２８ｂの第５収納部７０ｅおよび第６収納部７０ｆとは、対称に形成されている。
すなわち、第４収納部７０ｄの第４収納開口部８０ｄは、外側の襟縁部８２ａが自由端側端縁２４側に形成され、第５収納部７０ｅの第５収納開口部８０ｅおよび第６収納部７０ｆの第６収納開口部８０ｆは、前記第４収納開口部８０ｄと対称に形成されて外側の襟縁部８２ａが綴じ代側端縁２８側に形成されている。
【００１８】
収納部７０の開口部は、収納部７０に収納されたＣＤが左右に移動するのを規制するとともに、収納部７０に収納されたＣＤが不用意に収納開口部８０より飛び出すことを防止するように、規制接着部４４および規制接着部４６が形成されている。
すなわち、収納開口部８０を構成する襟縁部８２のうち、内側の襟縁部８２ｂの最外端近傍において、接着部３０を構成する規制接着部４４および規制接着部４６が上下方向に形成されている。
規制接着部４４および規制接着部４６は、正面シート１４と背面シート１６と分割シート１８とをスポット状に熱溶着することにより形成され、この接着部３０を構成するスポット状熱溶着のうち、収納開口部８０の内側の襟縁部８２ｂの最内縁に最も近い（収納部７０に収納されたＣＤに最も近い）規制接着部４４は、収納開口部８０を規制し、収納部７０に収納されたＣＤが不用意に収納開口部８０より飛び出すことがないように形成されている。
すなわち、収納開口部８０を構成する最も端の規制接着部４４と、該規制接着部４４と対向する他方の端の接着部３０、この実施の形態においては、正面側ホルダ部１２ａ側においては正面側ホルダ部の第１ホルダ部２６ａの右側端縁の自由端側接着部３６との間隔及び正面側ホルダ部の第２ホルダ部２８ａの左側端縁の綴じ代側接着部３８との間隔が、そして、背面側ホルダ部１２ｂ側においては背面側ホルダ部の第１ホルダ部２６ｂの左側端縁の自由端側接着部３６との間隔及び背面側ホルダ部の第２ホルダ部２８ｂの右側端縁の綴じ代側接着部３８との間隔が、記録ディスクの直径と略等しくなるような位置において形成されている。
【００１９】
正面側ホルダ部１２ａの第１収納部７０ａと背面側ホルダ部１２ｂの第４収納部７０ｄの収納開口部８０に形成された規制接着部４４は、自由端側接着部３６との間の間隔がＣＤの直径と略等しくなるように形成され、また、正面側ホルダ部１２ａの第２収納部７０ｂおよび第３収納部７０ｃの収納開口部８０を規制する規制接着部４４は、綴じ代側接着部３８との間の間隔がＣＤの直径と略等しくなるように形成され、また、背面側ホルダ部１２ｂの第５収納部７０ｅおよび第６収納部７０ｆの収納開口部８０を規制する規制接着部４４は、綴じ代側接着部３８との間の間隔がＣＤの直径と略等しくなるように形成されている。
【００２０】
また、収納開口部８０を規制する規制接着部４４に続いて、接着部３０を構成するスポット状熱溶着がなされて規制接着部４６が形成されている。すなわち、前記規制接着部４４から下方向に連続して収納部７０に形成されたＣＤの外周縁に対応して円弧状に連続して形成されたスポット状熱溶着によって形成された接着部３０は、収納部７０に収納されたＣＤが横方向に移動しないように規制する規制接着部４６を構成している。
規制接着部４６は、それと対向する自由端側接着部３６または綴じ代側接着部３８との間隔がＣＤの直径より広い幅を有するような位置に形成されている。すなわち、第１収納部７０ａおよび第３収納部７０ｃは、自由端側接着部３６との間隔が、第２収納部７０ｂと第３収納部７０ｃおよび第５収納部７０ｅと第６収納部７０ｆは、綴じ代側接着部３８との間隔がＣＤの直径より広い幅を有するように形成されている。
【００２１】
また、前記規制接着部４４，４６に続いて、収納開口部８０より離れた上方向に連続して形成されたスポット状熱溶着によって形成された接着部３０は、正面シート１４および背面シート１６の収納開口部８０近傍を補強するために形成された補強接着部４８を構成している。補強接着部４８は、規制接着部４４および４６より外方向に向けて形成され、収納開口部８０よりＣＤを出し入れするときに正面シート１４と分割シート１８および背面シート１６と分割シート１８の接着部３０における接着力を増すように形成されている。
【００２２】
収納開口部８０を構成する上縁部８６の上方向における最下縁８６ａは、前記収納部７０を構成する支持接着部４０，４２との間の間隔が各収納部７０に収納されたＣＤの直径より短くなるように形成され、各収納部７０に収納されたＣＤの上部外周縁近傍が正面シート１４および背面シート１６の上に重なって収納されるように形成されている。
【００２３】
正面シート１４と背面シート１６の収納開口部８０の上縁部８６は、隣接する収納部７０に収納されたＣＤの最外周縁より外側にはみ出した領域を有するように、隣接した収納部７０に近づいて形成されている。
すなわち、第１収納部７０ａと第４収納部７０ｄの収納開口部８０の上縁部８６は、第２収納部７０ｂと第５収納部７０ｅの中に収納されたＣＤの最外周縁より正面シート１４及び背面シート１６が外側にはみ出した領域により形成されるＣＤ保護部１４ａを有するように、隣接した収納部（第２収納部７０ｂおよび第５収納部７０ｅ）より離れるように形成されている。
また、第３収納部７０ｃおよび第６収納部７０ｆの収納開口部８０の上縁部８６は、隣接する収納部７０すなわち第１収納部７０ａおよび第４収納部７０ｄに収納されたＣＤの最外周縁より正面シート１４および背面シート１６が外側にはみ出した領域により形成されるＣＤ保護部１４ｂを有するように、隣接した収納部（第１収納部７０ａおよび第４収納部７０ｄ）より離れるように形成されている。
【００２４】
正面側ホルダ部１２ａと背面側ホルダ部１２ｂの中間領域および下領域に形成された第１収納部７０ａと第３収納部７０ｃ、そして第４収納部７０ｄと第６収納部７０ｆの上部には、積層された正面シート１４、背面シート１６および分割シート１８を貫通する穴部９０が形成され、該穴部９０は、ＣＤの外周縁より少なくともその一部が上方にはみ出してＣＤの上部外周縁との間に人間の指が少なくとも１本入るように、その大きさが調整されている。この実施の形態においては穴部９０は、上下に長い略楕円形状に形成されている。
そして、該穴部９０の下において、正面シート１４と背面シート１６および分割シート１８とを接着する接着部３０が形成され、この接着部３０は、穴部９０近傍の正面シート１４、背面シート１６および分割シート１８の補強をする補強接着部５０を構成している。
この穴部９０と前記収納開口部８０近傍に形成された穴部（ＣＤの穴と対応する位置に形成された穴）８４との間に指を入れて、ＣＤを収納部７０より取り出すことができるように構成されている。
【００２５】
この記録ディスクホルダ１０は、その左側縁の綴じ代側端縁２５において、２穴または４穴あるいは多穴の綴じ孔が形成された綴じ部材Ａが固着され、たとえばパイプホルダ等のファイル、バインダに綴じ込むことができるように形成されている。たとえば、綴じ部材Ａは、綴じ孔Ａ１とは反対側端縁に綴じ孔Ａ２が形成され、綴じ孔Ａ２に記録ディスクホルダ１０の綴じ代側端縁２５を嵌挿して固着するように構成される。
【００２６】
【発明の効果】
この発明によれば、積層されたシートが接着部で接着されて記録ディスクの収納部が形成され、収納部に記録ディスクを収納するための収納開口部は、積層されたシートのうち一方のシートに形成され、且つシートが接着されてその対向する開口部の一方の端と他方の端との間隔が記録ディスクの直径と略等しいかまたは僅かに広く形成されているので、記録ディスクの収納口に垂れ下がり収納部に収納された記録ディスクホルダを覆うフラップをなくし、フラップに邪魔されることなくスムーズに記録ディスクホルダを収納部に出し入れすることができ、収納部に出し入れするときにフラップによって記録ディスクホルダの光学面を傷つけることがない。
【図面の簡単な説明】
【図１】この発明の一実施の形態であるＣＤ（コンパクトディスク）ホルダの正面図解図である。
【図２】図１のＣＤ（コンパクトディスク）ホルダの背面図解図である。
【図３】図１Ｘ−Ｘ線断面図解図である。
【図４】図１Ｙ−Ｙ線断面図解図である。
【図５】図１のＣＤ（コンパクトディスク）ホルダの収納部にＣＤ（コンパクトディスク）を収納し始めた状態を示す正面図解図である。
【図６】図１のＣＤ（コンパクトディスク）ホルダを収納部に収納した状態を示す正面図解図である。
【符号の説明】
１０  記録ディスクホルダ
１２ａ  正面側ホルダ部
１２ｂ  背面側ホルダ部
１４  正面シート
１４ａ，１４ｂ  ＣＤ保護部
１６  背面シート
１８  分割シート
２０  上端縁
２２  下端縁
２４  自由端側端縁
２５  綴じ代側端縁
２６ａ  正面側ホルダ部の第１ホルダ部
２６ｂ  背面側ホルダ部の第１ホルダ部
２８ａ  正面側ホルダ部の第２ホルダ部
２８ｂ  背面側ホルダ部の第２ホルダ部
３０  接着部
３２  上縁接着部
３４  下縁接着部
３６  自由端側接着部
３８  綴じ代側接着部
４０，４２  支持接着部
４４  規制接着部
４６  規制接着部
４８，５０  補強接着部
７０  収納部
７０ａ  第１収納部
７０ｂ  第２収納部
７０ｃ  第３収納部
７０ｄ  第４収納部
７０ｅ  第５収納部
７０ｆ  第６収納部
８０  収納開口部
８０ａ  第１収納開口部
８０ｂ  第２収納開口部
８０ｃ  第３収納開口部
８０ｄ  第４収納開口部
８０ｅ  第５収納開口部
８０ｆ  第６収納開口部
８２  襟縁部
８２ａ  外側の襟縁部
８２ｂ  内側の襟縁部
８４  穴部
８６  上縁部
９０  穴部
【図１】
2004314969.tif 000003
【図２】
2004314969.tif 000004
【図３】
2004314969.tif 000005
【図４】
2004314969.tif 000006
【図５】
2004314969.tif 000007
【図６】
2004314969.tif 000008